(57)【要約】      （修正有）【課題】常設状態での高さを調整可能にすると共に枠内に設置されるシート状部材がたるまず意匠的にもすぐれた通行規制柵を提供する。【解決手段】通行規制柵１は、通行路を挟んで対向する部材間に設置されて、幼児または愛玩動物の通行を規制する通行規制柵１であって、常設状態での高さ調整可能な一対の縦辺部材３と、縦辺部材３に連結されて縦辺部材３の高さに連動して高さが変わると共に幅方向の長さを無段階で調整可能な上辺部材５と、縦辺部材３に連結されて幅方向の長さが無段階で調整可能な下辺部材７と、左右両辺が一対の縦辺部材３に取り付けられ、上下両辺部が上辺部材５及び下辺部材７に取り付けられるシート状部材とを有し、シート状部材は、縦辺部材３の高さに合わせて張設状態を調整する高さ方向調節機能を備えている。【選択図】図１
2011188962.tif 000002
【特許請求の範囲】
【請求項１】
通行路を挟んで対向する部材間に設置されて、幼児または愛玩動物の通行を規制する通行規制柵であって、
高さ調整可能な一対の縦辺部材と、該縦辺部材の上部に連結されると共に幅方向の長さを無段階で調整可能な上辺部材と、前記縦辺部材の下部に連結されて幅方向の長さが無段階で調整可能な下辺部材と、左右両辺部が前記一対の縦辺部材に取り付けられ、上下両辺部が上辺部材及び下辺部材に取り付けられるシート状部材とを有し、該シート状部材は、前記縦辺部材の高さ調整に応じて変わる前記上辺部材と前記下辺部材の間隔に合わせて張設状態を調整する高さ方向調節機能を備えていることを特徴とする通行規制柵。
【請求項２】
前記シート状部材の上辺部又は下辺部のいずれか一方に袖部を形成し、該袖部に前記上辺部材又は前記下辺部材を挿入してなり、前記高さ方向調整機能は、前記袖部の袖口幅を該袖部に挿通される前記上辺部材又は下辺部材の外径よりも広く設定すると共に、前記袖部に前記上辺部材又は前記下辺部材を挿入した状態で前記袖部の袖口幅を調整する袖口幅調整部材を備えなることを特徴とする請求項１記載の通行規制柵。
【請求項３】
シート状部材の上辺側に設けられて前記上辺部材が挿通される上袖部と、シート状部材の下辺側に設けられて前記下辺部材が挿通される下袖部とを有し、前記高さ方向調整機能は、前記上袖部の袖口幅を前記上辺部材の外径よりも広く設定すると共に前記下袖部の袖口幅を前記下辺部材の外径よりも広く設定し、前記上袖部に前記上辺部材を、前記下袖部に前記下辺部材をそれぞれ挿入した状態で前記上袖部及び前記下袖部の袖口幅を調整する袖口幅調整部材を備えなることを特徴とする請求項１記載の通行規制柵。
【請求項４】
前記縦辺部材は複数の段階的な高さ調整が可能になっており、前記シート状部材の高さ方向調整機能は前記縦辺部材の段階的な高さに応じて段階的に調整ができることを特徴とする請求項１乃至３のいずれか一項に記載の通行規制柵。
【請求項５】
前記一対の縦辺部材は、前記上辺部材及び前記下辺部材の長さ調整に応じて一対の縦辺部材間の幅が変わるように取り付けられてなり、前記シート状部材は前記一対の縦辺部材の幅に合わせて張設状態を調整する幅方向調節機能を備えていることを特徴とする請求項１乃至４のいずれか一項に記載の通行規制柵。
【請求項６】
前記シート状部材の幅方向調節機能は無段階に調整できることを特徴とする請求項５記載の通行規制柵。
【請求項７】
前記シート状部材の左辺部又は右辺部のいずれか一方に袖部を形成し、該袖部に前記縦辺部材を挿入してなり、前記幅方向調整機能は、前記袖部の袖口幅を該袖部に挿通される前記縦辺部材の外径よりも広く設定すると共に、前記袖部に前記縦辺部材を挿入した状態で前記袖部の袖口幅を調整する袖口幅調整部材を備えなることを特徴とする請求項５又は６に記載の通行規制柵。
【請求項８】
シート状部材の左右両辺に設けられて前記一対の縦辺部材が挿通される左袖部及び右袖部を有し、前記幅方向調整機能は、前記左袖部及び前記右袖部の袖口幅を前記縦辺部材の外径よりも広く設定すると共に、前記左袖部及び前記右袖部に前記縦辺部材を挿入した状態で前記左袖部及び前記右袖部の袖口幅を調整する袖口幅調整部材を備えなることを特徴とする請求項５又は６に記載の通行規制柵。
【発明の詳細な説明】
【技術分野】
【０００１】
本発明は、幼児が危険な場所等に行くのを規制して幼児の安全を守るために設置される通行規制柵に関する。もっとも、屋内外において飼育する犬等の愛玩動物などの通行を規制するに使用するのを排除するものではない。
【背景技術】
【０００２】
幼児が例えば室内において危険な場所、例えば調理中のキッチンや段差のある玄関口などに行くのを防止するためにその通行を規制するものとして、例えば特許文献１に開示された「フェンス」がある。
特許文献１のフェンスは、上下方向の高さを調整可能な枠体に、布やネットなどの可撓性の材料で作られた保護部材（以下においては、「シート状部材」という）を、その周縁部を袋状にして枠に挿入するようにして設置している。
そして、上記フェンスは、枠の上辺部を下方に移動可能に構成して、上辺部の高さを一時的に低くすることで大人が通行する際に通行が容易になるようにしている。
【０００３】
また、上記フェンスは、枠の幅を調整可能にして、フェンスを設置する開口部の幅に合わせて開口部の両側に設けられた柱等に突っ張ることによって固定するというものである。
【先行技術文献】
【特許文献】
【０００４】
【特許文献１】実用新案登録第３０７６３０５号公報
【発明の概要】
【発明が解決しようとする課題】
【０００５】
従来のフェンスは、常設状態では一定高さになることを前提に、大人の通行時に一時的に高さを常設状態よりも低くするというものであった。つまり、従来のフェンスは、シート状部材に高さ方向の調整機能はなく、常設状態ではシート状部材の高さに合わせてフェンスの高さを一定にして、大人の通行の際、一時的に高さを低くできるようにしたものである。なお、大人の通行の際にフェンスの高さを低くしたときは、シート状部材がたるむことになる。
上記のような構造のフェンスでは、シート状部材の高さによって常設状態のフェンスの高さが規定される。なぜなら、常設状態における枠の上辺の高さをシート状部材の高さよりも低くすると、シート状部材がたるんでしまい、見栄えが悪くなってしまうからである。
そのため、常設状態の高さの異なる複数種類のフェンスを作ろうとすると、それに合った複数種類のシート状部材を準備して対応するしか方法がなく、換言すれば従来のフェンスは常設状態での高さ調整機能を有していないと言える。
【０００６】
また、シート状部材は幅方向に関しても調整機能を有していないので、シート状部材の幅に合わせて左右のポールを上下ポールに固定するようにしている。そのため、フェンスを取り付ける開口部の幅が広い場合にはフェンスを突っ張っている柱等とシート状部材との間に隙間が生ずるという問題もある。
【０００７】
本発明はかかる課題を解決するためになされたものであり、常設状態での高さを調整可能にすると共に枠内に設置されるシート状部材がたるまず見栄えがよく意匠的にもすぐれた通行規制柵を提供することを目的としている。
【課題を解決するための手段】
【０００８】
（１）本発明に係る通行規制柵は、通行路を挟んで対向する部材間に設置されて、幼児または愛玩動物の通行を規制する通行規制柵であって、高さ調整可能な一対の縦辺部材と、該縦辺部材の上部に連結されると共に幅方向の長さを無段階で調整可能な上辺部材と、前記縦辺部材の下部に連結されて幅方向の長さが無段階で調整可能な下辺部材と、左右両辺部が前記一対の縦辺部材に取り付けられ、上下両辺部が上辺部材及び下辺部材に取り付けられるシート状部材とを有し、該シート状部材は、前記縦辺部材の高さ調整に応じて変わる前記上辺部材と前記下辺部材の間隔に合わせて張設状態を調整する高さ方向調節機能を備えていることを特徴とするものである。
【０００９】
（２）また、上記（１）に記載のものにおいて、前記シート状部材の上辺部又は下辺部のいずれか一方に袖部を形成し、該袖部に前記上辺部材又は前記下辺部材を挿入してなり、前記高さ方向調整機能は、前記袖部の袖口幅を該袖部に挿通される前記上辺部材又は下辺部材の外径よりも広く設定すると共に、前記袖部に前記上辺部材又は前記下辺部材を挿入した状態で前記袖部の袖口幅を調整する袖口幅調整部材を備えなることを特徴とするものである。
【００１０】
（３）また、上記（１）に記載のものにおいて、シート状部材の上辺側に設けられて前記上辺部材が挿通される上袖部と、シート状部材の下辺側に設けられて前記下辺部材が挿通される下袖部とを有し、前記高さ方向調整機能は、前記上袖部の袖口幅を前記上辺部材の外径よりも広く設定すると共に前記下袖部の袖口幅を前記下辺部材の外径よりも広く設定し、前記上袖部に前記上辺部材を、前記下袖部に前記下辺部材をそれぞれ挿入した状態で前記上袖部及び前記下袖部の袖口幅を調整する袖口幅調整部材を備えなることを特徴とするものである。
【００１１】
（４）また、上記（１）乃至（３）に記載のものにおいて、前記縦辺部材は複数の段階的な高さ調整が可能になっており、前記シート状部材の高さ方向調整機能は前記縦辺部材の段階的な高さに応じて段階的に調整ができることを特徴とするものである。
【００１２】
（５）また、上記（１）乃至（４）に記載のものにおいて、前記一対の縦辺部材は、前記上辺部材及び前記下辺部材の長さ調整に応じて一対の縦辺部材間の幅が変わるように取り付けられてなり、前記シート状部材は前記一対の縦辺部材の幅に合わせて張設状態を調整する幅方向調節機能を備えていることを特徴とするものである。
【００１３】
（６）また、上記（５）に記載のものにおいて、前記シート状部材の幅方向調節機能は無段階に調整できることを特徴とするものである。
【００１４】
（７）また、上記（５）又は（６）に記載のものにおいて、前記シート状部材の左辺部又は右辺部のいずれか一方に袖部を形成し、該袖部に前記縦辺部材を挿入してなり、前記幅方向調整機能は、前記袖部の袖口幅を該袖部に挿通される前記縦辺部材の外径よりも広く設定すると共に、前記袖部に前記縦辺部材を挿入した状態で前記袖部の袖口幅を調整する袖口幅調整部材を備えなることを特徴とするものである。
【００１５】
（８）また、上記（５）又は（６）に記載のものにおいて、シート状部材の左右両辺に設けられて前記一対の縦辺部材が挿通される左袖部及び右袖部を有し、前記幅方向調整機能は、前記左袖部及び前記右袖部の袖口幅を前記縦辺部材の外径よりも広く設定すると共に、前記左袖部及び前記右袖部に前記縦辺部材を挿入した状態で前記左袖部及び前記右袖部の袖口幅を調整する袖口幅調整部材を備えなることを特徴とするものである。
【発明の効果】
【００１６】
本発明に係る通行規制柵は、通行路を挟んで対向する部材間に設置されて、幼児または愛玩動物の通行を規制する通行規制柵であって、高さ調整可能な一対の縦辺部材と、該縦辺部材の上部に連結されると共に幅方向の長さを無段階で調整可能な上辺部材と、前記縦辺部材の下部に連結されて幅方向の長さが無段階で調整可能な下辺部材と、左右両辺部が前記一対の縦辺部材に取り付けられ、上下両辺部が上辺部材及び下辺部材に取り付けられるシート状部材とを有し、該シート状部材は、前記縦辺部材の高さ調整に応じて変わる前記上辺部材と前記下辺部材の間隔に合わせて張設状態を調整する高さ方向調節機能を備えているので、通行規制柵の高さを調整することができ、その場合にシート状部材の高さを通行規制柵の高さに合わせて調整できるので、いずれの高さであってもシート状部材がたるむことなく設置することができる。
【図面の簡単な説明】
【００１７】
【図１】本発明の一実施の形態に係る通行規制柵を分解した状態で示すと共に、一部を拡大し、また一部を断面で示した図である。
【図２】本発明の一実施の形態に係る通行規制柵の組立状態の説明図である。
【図３】本発明の一実施の形態に係る通行規制柵のシート状部材の表面の説明図である。
【図４】本発明の一実施の形態に係る通行規制柵のシート状部材の裏面の説明図である。
【図５】本発明の一実施の形態に係る通行規制柵の組立状態の説明図であって、３段階の高さのうちで高さを最も高くした状態の図である。
【図６】本発明の一実施の形態に係る通行規制柵の組立状態の説明図であって、３段階の高さのうちで高さを中間の高さにした状態の図である。
【図７】本発明の一実施の形態に係る通行規制柵の設置方法の説明図である（その１）。
【図８】本発明の一実施の形態に係る通行規制柵の設置方法の説明図である（その２）。
【図９】本発明の一実施の形態に係る通行規制柵の設置方法の説明図である（その３）。
【図１０】本発明の一実施の形態に係る通行規制柵の設置方法の説明図である（その４）。
【図１１】本発明の一実施の形態に係る通行規制柵の設置方法の説明図である（その５）。
【図１２】本発明の一実施の形態に係る通行規制柵の設置方法の説明図である（その６）。
【図１３】本発明の一実施の形態に係る通行規制柵の設置方法の説明図である（その７）。
【図１４】本発明の一実施の形態に係る通行規制柵の設置方法の説明図である（その８）。
【図１５】本発明の一実施の形態に係る通行規制柵の設置方法の説明図である（その９）。
【図１６】本発明の一実施の形態に係る通行規制柵の設置方法の説明図である（その１０）。
【図１７】本発明の一実施の形態に係る通行規制柵の高さ調整方法の説明図である（その１）。
【図１８】本発明の一実施の形態に係る通行規制柵の高さ調整方法の説明図である（その２）。
【図１９】本発明の一実施の形態に係る通行規制柵の高さ調整方法の説明図である（その３）。
【図２０】本発明の一実施の形態に係る通行規制柵の高さ調整方法の説明図である（その４）。
【発明を実施するための形態】
【００１８】
本発明の一実施の形態に係る通行規制柵１の構成を図１〜図６に基づいて説明する。
本実施の形態に係る通行規制柵１は、図１の分解図に示されるように、高さ調整可能な一対の縦辺部材３と、幅方向の長さを無段階に調整可能な上辺部材５と、同じく幅方向の長さを無段階に調整可能な下辺部材７と、一対の縦辺部材３と上辺部材５及び下辺部材７で形成される枠に設置されるシート状部材９と、通行規制柵１が設置される開口部の両側の壁等に両面テープ１０で貼り付けられる一対の取付プレート１１を備えている。
また、本実施の形態の通行規制柵１は、組み立て状態では、図２に示されるように、シート状部材９の上袖部１３に上辺部材５を、下袖部１５に下辺部材７を、左袖部１７に左側の縦辺部材３を、右袖部１９に右側の縦辺部材３を、それぞれ挿通して、縦辺部材３の上下のリング部材２１の挿入穴２３に上辺部材５及び下辺部材７の端部材２５を挿入することで柵として組み立てられる。
以下、各構成部材を詳細に説明する。
【００１９】
＜縦辺部材＞
縦辺部材３は、図１に示されるように、上辺部材５及び下辺部材７の端部材２５が挿入される挿入穴２３が形成されたリング部材２１を上下端に有している。縦辺部材３における下側に配置される大径の下パイプ２７に上側に配置される小径の上パイプ２９が挿入されている。上パイプ２９は下パイプ２７に対して上下方向に移動可能に挿入されており、縦辺部材３は上パイプ２９を移動することで全体として上下方向に伸縮可能になっている。
上パイプ２９における下パイプ２７に挿入されている部分には出没可能な突起３１が設けられている。他方、下パイプ２７には上下方向の３ヶ所に突起３１が挿入可能な穴部３３が形成されている。突起３１を所望の位置の穴部３３に挿入することで、上パイプ２９を下パイプ２７に上下方向３ヶ所の所望の位置で留めることができ、これによって縦辺部材３は上下方向の３段階での高さ調整が可能になっている。
なお、本実施の形態の縦辺部材３においては、縦辺部材３の高さを調整することで、組み立て状態において通行規制柵１の高さが、５５ｃｍ、６０ｃｍ、６５ｃｍの三種類の高さに調整できるようになっている。
【００２０】
＜上辺部材＞
上辺部材５は、大径の大径パイプ３５に、大径パイプ３５よりも小径の小径パイプ３７が挿入されており、小径パイプ３７の端部には径方向に出っ張るピン３９が設置されている（図１の部分拡大図参照）。また、一端側が大径パイプ３５側に固定された螺旋状の弦巻ばね４１が大径パイプ３５内に配設されており、小径パイプ３７に設置されたピン３９が弦巻ばね４１のピッチ間に配置される構造になっている。このような構造にすることによって、小径パイプ３７を回転させることでピン３９が弦巻ばね４１にガイドされながら軸方向に移動するので、小径パイプ３７の大径パイプ３５への挿入長さを無段階に調整でき、上辺部材５は全体として無段階に伸縮可能になっている。また、小径パイプ３７を大径パイプ３５側に押し込むと弦巻ばね４１によって押戻される方向に付勢されることになる。
大径パイプ３５及び小径パイプ３７の端部に形成された端部材２５は、縦辺部材３のリング部材２１の挿入穴２３への挿入を容易にするためにテーパ状になっており、挿入状態を保持するための突起部４３と鍔部４４が形成されている（図１の部分拡大図参照）。突起部４３は出没可能になっており、常時は出っ張っており、押し込むことで没入する構造になっている。
＜下辺部材＞
下辺部材７は、上辺部材５と同一の構造である。
【００２１】
＜シート状部材＞
シート状部材９は、図３（表面側）、図４（裏面側）に示すように、中央部がメッシュ部４５になった略矩形状をしている。メッシュ部４５の上辺側には上辺部材５の外径よりも広い袖口幅Ｗ１の上袖部１３が形成されている。また、メッシュ部４５の下辺側には下辺部材７の外径よりも広い袖口幅Ｗ１の下袖部１５が形成されている。
また、メッシュ部４５の左辺側には、縦辺部材３の外径よりも広い袖口幅Ｗ２の左袖部１７が形成されている。また、メッシュ部４５の右辺側には縦辺部材３の外径よりも広い袖口幅Ｗ２の右袖部１９が形成されている。
【００２２】
上袖部１３の表面側には、図３に示すように、上縁に５個のボタン４７が取り付けられている。また、上袖部１３の裏面側には、図４に示すように、上袖部１３の下縁におけるボタン４７に対応する位置にボタンホール４９を有する三角形の片部５１が設けられている。
ボタン４７とボタンホール４９を有する片部５１が本発明の高さ調整機能として機能する。つまり、ボタン４７をボタンホール４９に留めることによって、上袖部１３の袖口幅が小さくなることで、シート状部材９の高さを低く設定することができる。
【００２３】
なお、ボタン４７をボタンホール４９が形成された片部５１に留める構造に代えて、雄ホックを雌ホックに留めるような構造のような、他の係止手段を用いた構造であってもよい。
また、ボタン４７とボタンホール４９によって留める構造に代えて、ジッパーによって留める構造にしてもよい。つまり、ボタン４７の位置に噛み合い歯が形成された一方の帯状のエレメントを上袖部１３のほぼ全幅に亘って装着し、ボタンホール４９の位置に他方の帯状のエレメントを前記一方のエレメントに対応するように装着し、一方または他方のエレメント側にスライダーを装着する構造とすればよい。
また、上記の例ではボタン４７を、５個設けた例を示したが、ボタン４７の数はシート状部材９の幅に応じて適宜変更すればよく、例えば幅広の場合にはボタン４７の数を９個にする場合もある。
下袖部１５は上袖部１３と同様の構造である。
【００２４】
左袖部１７は、図３、図４におけるＷ２で示す袖口幅を有している。
左袖部１７の表面側には、図３に示すように、幅調整機能として機能する調整紐５３が上下二段に設置されている。調整紐５３は左袖部に２箇所の縫着部５６で縫い付けられているので、垂れ下がりが防止され、見栄えがよい。
また、左袖部１７の裏面側には、調整紐５３の端部を留めるバックル５５が紐部材５７によって取り付けられている。この紐部材５７も、調整紐５３と同様に２箇所の縫着部５８で縫い付けられているので、垂れ下がりが防止され、見栄えがよい。
調整紐５３をバックル５５に挿通して長さを調整することで、袖部を絞り込んで袖口幅を調整することができ、これによって、シート状部材９の幅方向の張設状態を調節してたるみをなくすることができる。
袖口幅Ｗ２の幅寸法から縦辺部材３の外径長さを差し引いた残りの長さが、幅方向の概略の調整代となる。
なお、左袖部１７の内側半分の部分は、図３、図４に示されるように、上袖部１３及び下袖部１５と連通しており、通行規制柵１を設置した状態で、上辺部材５及び下辺部材７の長さを上袖部１３及び下袖部１５の長さと略同じにすれば、縦辺部材３の上下端部を上袖部１３及び下袖部１５に収納することができるようになっている。
【００２５】
なお、上記の例では、シート状部材９の幅方向の調整を調整紐５３をバックル５５に留める構造を採用したが、調整紐５３に面ファスナーの雄面を設けて、紐部材５７に面ファスナーの雌面を設けるようにしてもよい。
右袖部１９は左袖部１７と同一の構造である。
【００２６】
シート状部材９を布で形成した場合には、織布、不織布、編物を含む。また、シート状部材９の材質は非金属製のものであれば、布製以外のものでもよく、例えばビニールなどの軟質樹脂などであってもよい。
布やビニールなどにすることで、色や模様などを自由に決めることができ、インテリアとして優れたものにすることができる。
【００２７】
次に、上記のように構成された本実施の形態の通行規制柵１の設置方法を図７〜図１６に基づいて説明する。
上辺部材５及び下辺部材７の小径パイプ３７を回転させて、通行規制柵１を設置する開口部の幅、すなわち開口部の両側の壁５９の距離に調整する（図７参照）。
また、縦辺部材３の上パイプ２９を伸縮させて縦辺部材３の高さが幼児６１の肩の高さ以上になるように調整する。上パイプ２９の調整は、突起３１を押して３段階のうちのいずれかの高さに調整する（図７参照）。
【００２８】
次に、図８に示すように、シート状部材９の上袖部１３に上辺部材５を、下袖部１５に下辺部材７を、左袖部１７に縦辺部材３の一方を、右袖部１９に縦辺部材３の他方を、それぞれ挿通する。
そして、上辺部材５及び下辺部材７の両端の端部材２５を、縦辺部材３の上下端部のリング部材２１の挿入穴２３にはめ込む。はめ込みに際しては、端部材２５を挿入穴２３に押し込むことで、突起部４３が没入して、リング部材２１が突起部４３を通過して、鍔部４４に当接する。リング部材２１が鍔部４４に当接した状態ではリング部材２１が突起部４３を通過しているので、突起部４３が再度突出し、リング部材２１は突起部４３と鍔部４４で挟まれてその移動が阻止される。つまり、突起部４３と鍔部４４がリング部材２１のストッパとして機能する。
【００２９】
次に、シート状部材９の高さを縦辺部材３の高さに合わせて調整する。縦辺部材３の高さを、５５ｃｍに設定した場合には、図１０に示すように、上袖部１３及び下袖部１５のボタン４７をボタンホール４９に留めるようにする。
なお、縦辺部材３の高さを６０ｃｍに設定した場合は、図６に示すように、上袖部１３のボタン４７のみをボタンホール４９に留めるようにする。また、縦辺部材３の高さを６５ｃｍに設定した場合は、図５に示すように、ボタン４７は使用しない。
【００３０】
次に、図１１に示すように、調整紐５３をバックル５５に通し、引っ張ることで左袖部１７及び右袖部１９を絞り、メッシュ部４５のたるみを調整する。
この状態で、組み立てた通行規制柵１を床に平置きし、突っ張り力を高めるために、上辺部材５及び下辺部材７の小径パイプ３７を回して、パイプ長を伸ばして通行規制柵１を設置する開口部の幅（取付幅）よりも長くする。どの程度長くするかについては、図１２に示すように、取付幅Ｓ１が６０ｃｍ〜１５０ｃｍの範囲の場合には、長くする寸法（伸長長さＳ２）は３〜５ｃｍとする。また、取付幅Ｓ１が１５０ｃｍ〜１８５ｃｍの範囲の場合には、伸長長さＳ２は５ｃｍ〜８ｃｍとする。
【００３１】
次に、図１３に示すように、下辺部材７の小径パイプ３７を押し込みながら、開口部の壁５９に、床との間に隙間が生じない位置に取り付ける。
さらに、図１４に示すように、２個の取付プレート１１を壁５９の端部に仮付けし、上辺部材５を引き上げ、取付プレート１１の取付位置を確認する。取付プレート１１には、図１５に示すように、３つの位置が示されているので、縦辺部材３の調整高さに、取付プレート１１の位置が一致するように取付プレート１１の設置位置を確認する。つまり、縦辺部材３の高さを、上段：６５ｃｍに調整した場合には、上辺部材５の端部材２５の位置が取付プレート１１の最上段の位置になるようにする。図１５の例は、縦辺部材３の高さを最上段にした場合が示されている。
取付プレート１１の位置を確認した後、その位置に取付プレート１１を貼り付ける。なお、取付プレート１１は、より確実に取り付けるためにネジ留めしてもよい。
【００３２】
取付プレート１１を設置したら、再度通行規制柵１を立ち上げて、下辺部材７と同様に上辺部材５の小径パイプ３７を押し込みながら、端部材２５を取付プレート１１に圧接させるようにして取り付ける。このとき、通行規制柵１が壁５９と端面に直角で、かつ床面に対して垂直になるように設置する。また、安全のため、通行規制柵１と床面が接するように設置する。
取付け後、図１６に示すように、通行規制柵１の上部を持って、前後にゆすって、外れやぐらつきがないかを確認する。確認されれば、取付が完了する。
【００３３】
次に、一旦取り付けた通行規制柵１の高さを調整する高さ調整方法を図１７〜図２０に基づいて説明する。
まず、上辺部材５の小径パイプ３７を押し込むようにして、上辺パイプを壁５９から外し、さらに縦辺部材３のリング部材２１から端部材２５を外して、上辺部材５を取り外す（図１７参照）。
次に、縦辺部材３の高さを幼児６１の肩の高さ以上になるように伸ばす（図１８参照）。これに合わせて、シート状部材９の高さの調整を行う。例えば、元の高さが５５ｃｍであったものを６５ｃｍに調整する場合には、５５ｃｍの高さのときには、上下のボタン４７が留められているので、調整時には上下のボタン４７を外すようにする。
次に、上辺部材５を上袖部１３に通して縦辺部材３に取り付けると共に、上辺部材５を取付プレート１１に圧接させる（図１９参照）。
取付け後、通行規制柵１の上部を持って、前後にゆすって、外れやぐらつきがないかを確認する（図２０参照）。
【００３４】
以上のように、本実施の形態によれば通行規制柵１の常設状態の高さを３段階に調整することができ、その場合にシート状部材９の高さを通行規制柵１の高さに合わせて調整できるので、いずれの高さであってもシート状部材９がたるむことなく設置することができる。
また、通行規制柵１の幅を、通行規制柵１を設置する開口部の幅に合わせて無段階に調整することができ、その場合にシート状部材９の幅を通行規制柵１の幅に合わせて調整することができ、いずれの幅であってもシート状部材９にたるみが生ずることなく、あるいは大きなたるみが生ずることなく設置することができる。
【００３５】
また、上記の実施の形態においては、シート状部材９の上下の高さ調整を、縦辺部材３の高さ調整に合わせてボタン４７による段階的な調整にしたので、調整が容易で、かつシート状部材９のたるみがなく見栄えもよく意匠的に優れたものとなっている。
【００３６】
また、上記の実施の形態においては、シート状部材９の上下両側に袖部を設けて上下両方に高さ方向調整機能を設けているので、シート状部材９の中央部のメッシュ部４５の位置が極端に上下にずれないようにして高さ調整を行うことができる。
同様に、上記の実施の形態においては、シート状部材９の左右両側に袖部を設けて左右両方に幅方向調整機能を設けているので、シート状部材９の中央部のメッシュ部４５の位置が極端に左右にずれないようにして幅調整を行うことができる。
【００３７】
なお、上記の実施の形態では、シート状部材９の上下の高さ調整を段階的な調整にしたが、幅方向の調整紐５３と同様に無段階の調整ができるものにしてもよい。
また、上記の実施の形態では、縦辺部材３が間欠的な（３段階）高さ調整機能を有する例を示したが、縦辺部材３を上辺部材５又は下辺部材７と同様に無段階的に高さを調整できるようにしてもよい。この場合には、無段階調整のために回転させる側のパイプの端部に取り付けるリング部材２１を、前記パイプに対して軸回りに回転可能に装着するようにする。
【符号の説明】
【００３８】
１  通行規制柵
３  縦辺部材
５  上辺部材
７  下辺部材
９  シート状部材
１１  取付プレート
１３  上袖部
１５  下袖部
１７  左袖部
１９  右袖部
２１  リング部材
２３  挿入穴
２５  端部材
２７  下パイプ
２９  上パイプ
３１  突起
３３  穴部
３５  大径パイプ
３７  小径パイプ
３９  ピン
４１  弦巻ばね
４３  突起部
４４  鍔部
４５  メッシュ部
４７  ボタン
４９  ボタンホール
５１  片部
５３  調整紐
５５  バックル
５６  縫着部
５７  紐部材
５８  縫着部
５９  壁
６１  幼児
【図１】
2011188962.tif 000003
【図２】
2011188962.tif 000004
【図３】
2011188962.tif 000005
【図４】
2011188962.tif 000006
【図５】
2011188962.tif 000007
【図６】
2011188962.tif 000008
【図７】
2011188962.tif 000009
【図８】
2011188962.tif 000010
【図９】
2011188962.tif 000011
【図１０】
2011188962.tif 000012
【図１１】
2011188962.tif 000013
【図１２】
2011188962.tif 000014
【図１３】
2011188962.tif 000015
【図１４】
2011188962.tif 000016
【図１５】
2011188962.tif 000017
【図１６】
2011188962.tif 000018
【図１７】
2011188962.tif 000019
【図１８】
2011188962.tif 000020
【図１９】
2011188962.tif 000021
【図２０】
2011188962.tif 000022